(57)【特許請求の範囲】
【請求項１】
光源と、
前記光源が発した光を加工して透過させる第１の電子パネルと、
前記第１の電子パネルを制御する制御部と、
を備えた照明器具であって、
前記制御部は、前記第１の電子パネルと、前記照明器具から離れて設置された他の照明器具の備える第２の電子パネルとを全体として、記憶部に記憶されている１つの一体化された所定の画像データを表示させるように同期させて表示し、
前記第１の電子パネルは、前記光源を囲むように複数配置され、
前記照明器具を吊り下げた状態における前記第１の電子パネルの下端側には、前記第１の電子パネルが配置されていない照明器具。
【請求項２】
請求項１に記載の照明器具であって、
前記第１の電子パネルの下端側は、開放された状態である照明器具。
【請求項３】
請求項１に記載の照明器具であって、
前記第１の電子パネルの下端側には、反射部が配置されている照明器具。
【請求項４】
請求項１に記載の照明器具であって、
前記第１の電子パネルの下端側には、外部から前記光源が直接見えないように筐体状の構造によって内包されている照明器具。
【請求項５】
請求項１から請求項４のいずれか一項に記載の照明器具であって、
前記光源は、前記第１の電子パネルの下端側を向くように設置されている照明器具。
【請求項６】
請求項１から請求項５のいずれか一項に記載の照明器具であって、
前記第１の電子パネルの画像を表示させる面が鉛直である照明器具。
【請求項７】
請求項１から請求項６のいずれか一項に記載の照明器具であって、
前記光源は、前記所定の画像データに応じて、自動で少なくとも調光あるいは調色する照明器具。
【請求項８】
請求項１から請求項７のいずれか一項に記載の照明器具であって、
前記所定の画像データは、予め定められたプログラムにしたがって一定期間ごとに切り替られたり、連続的に変更されたりするデータ、すなわち、切替データまたは動画データである照明器具。
【請求項９】
光源と、
前記光源が発した光を加工して透過させる電子パネルと、
前記第１の電子パネルを制御する制御部と、
を備えた照明器具であって、
前記第１の電子パネルは、前記光源を囲むように複数配置され、
前記照明器具を吊り下げた状態における前記第１の電子パネルの下端側には、前記第１の電子パネルが配置されていない照明器具における照明方法であって、
前記制御部は、前記第１の電子パネルと、前記照明器具から離れて設置された他の照明器具の備える第２の電子パネルとを全体として、記憶部に記憶されている１つの一体化された所定の画像データを表示させるように同期させて表示する照明方法。
【請求項１０】
光源と、
前記光源が発した光を加工して透過させる電子パネルと、
前記第１の電子パネルを制御する制御部と、
を備えた照明器具であって、
前記第１の電子パネルは、前記光源を囲むように複数配置され、
前記照明器具を吊り下げた状態における前記第１の電子パネルの下端側には、前記第１の電子パネルが配置されていない照明器具を制御し、
前記第１の電子パネルと、前記照明器具から離れて設置された他の照明器具の備える第２の電子パネルとを全体として、記憶部に記憶されている１つの一体化された所定の画像データを表示させるように同期させて表示させることを前記制御部に実行させるための照明プログラム。
【発明の詳細な説明】
【技術分野】
【０００１】
本開示は、周囲環境に光を発する照明器具およびその照明器具を備えた照明システムに関する。
【背景技術】
【０００２】
従来から、たとえば、次の特許文献１に開示されているように、光を発する光源とその光源が発した光を加工して画像データを表示し得る表示部とを有する照明器具の開発が行われている。この照明器具によれば、照明機能と画像表示機能との双方を発揮することができる。
【先行技術文献】
【特許文献】
【０００３】
【特許文献１】実開昭６１−６８４１３号公報
【発明の概要】
【発明が解決しようとする課題】
【０００４】
従来の表示部を有する照明器具は、予め定められた複数種類の画像データを切り替えて表示部に表示させる。そのため、表示部に表示される画像データを使用者の好みに合わせて変更することができない。したがって、照明器具の表示部に表示される画像データの種類は制限されている。【０００５】
本開示は、このような従来技術の有する課題に鑑みてなされたものである。そして、本開示の目的は、表示部に表示される画像データのバリエーションを豊富にすることができる照明器具およびその照明器具を備えた照明システムを提供することである。
【課題を解決するための手段】
【０００６】
上記課題を解決するために、本開示の第１の態様に係る照明器具は、光源と、前記光源が発した光を加工して透過させる第１の電子パネルと、前記第１の電子パネルを制御する制御部と、を備えた照明器具であって、前記制御部は、前記第１の電子パネルと、前記照明器具から離れて設置された他の照明器具の備える第２の電子パネルとを全体として、記憶部に記憶されている１つの一体化された所定の画像データを表示させるように同期させて表示し、前記第１の電子パネルは、前記光源を囲むように複数配置され、前記照明器具を吊り下げた状態における前記第１の電子パネルの下端側には、前記第１の電子パネルが配置されていない。
【０００７】
本開示の第２の態様に係る照明システムは、それぞれが第１の態様の照明器具と同一の構成を含む複数の照明器具を備えた照明システムであって、複数の前記制御部は、互いに同期して複数の前記電子パネルのそれぞれに同一の前記所定の画像データを表示させるように前記複数の電子パネルを制御するか、または、前記複数の電子パネルに全体として１つの一体化された前記所定の画像データを表示させるように前記複数の電子パネルを制御する。【０００８】
本開示の第３の態様に係る照明システムは、第１の態様の照明器具と、表示部および前記表示部を制御する表示制御部を有する外部機器とを備えた照明システムであって、前記制御部および前記表示制御部は、それぞれ、互いに同期して前記電子パネルおよび前記表示部のそれぞれに同一の前記所定の画像データを表示させるように前記電子パネルおよび前記表示部を制御するか、または、前記電子パネルおよび前記表示部に全体として１つの一体化された前記所定の画像データを表示させるように、前記電子パネルおよび前記表示部を制御する。
【発明の効果】
【０００９】
本開示の照明器具および照明システムのそれぞれによれば、表示部に表示される画像データのバリエーションを豊富にすることができる。
【図面の簡単な説明】
【００１０】
【図１】本開示の各実施の形態に共通の照明システムの全体構成を説明するためのブロック図である。
【図２】本開示の実施の形態１の照明器具を説明するための斜視図である。
【図３】本開示の実施の形態１の照明器具の使用状態を説明するための図である。
【図４】本開示の実施の形態１の照明器具の制御を説明するためのフローチャートである。
【図５】本開示の実施の形態２の照明器具を説明するための斜視図である。
【図６】本開示の実施の形態３の照明器具を説明するための正面図である。
【図７】本開示の実施の形態４の照明器具を説明するための概略図である。
【図８】本開示の実施の形態５の照明器具を説明するための概略図である。
【図９】本開示の実施の形態５の照明器具の制御部の機能ブロック図である。
【図１０】本開示の実施の形態５の照明器具の制御を説明するためのフローチャートである。
【図１１】本開示の実施の形態６の照明器具を説明するための概略図である。
【図１２】本開示の実施の形態６の照明器具の制御を説明するためのフローチャートである。
【図１３】本開示の実施の形態７の照明器具を説明するための断面図である。
【図１４】本開示の実施の形態８の照明器具を説明するための断面図である。
【図１５】本開示の実施の形態９の照明器具の制御部に記憶されたデータテーブルを説明するための図である。
【図１６】本開示の実施の形態９の照明器具を説明するための概略構成図である。
【図１７】本開示の実施の形態１０の照明器具の制御部に記憶されたデータテーブルを説明するための図である。
【図１８】本開示の実施の形態１０の照明器具の制御を説明するためのフローチャートである。
【図１９】本開示の実施の形態１１の一例の照明システムの概略図である。図１９の左側は、照明システムを構成する複数の照明器具のうちの１つの照明器具を示し、図１９の右側は、照明システムを構成する複数の照明器具のうちの他の照明器具を示している。
【図２０】本開示の実施の形態１１の他の例の照明システムの概略図である。図２０の左側は、照明システムを構成する複数の照明器具のうちの１つの照明器具を示し、図２０の右側は、照明システムを構成する複数の照明器具のうちの他の照明器具を示している。
【図２１】本開示の実施の形態１１のさらに他の例の照明システムの概略図である。図２１の（ａ）の左側は、ある状況の１つの照明システムを構成する複数の照明器具のうちの１つの照明器具を示し、図２１の（ａ）の右側は、ある状況の１つの照明システムを構成する複数の照明器具のうちの他の照明器具を示している。図２１の（ｂ）の左側は、他の状況の１つの照明システムを構成する複数の照明器具のうちの１つの照明器具を示し、図２１の（ｂ）の右側は、他の状況の１つの照明システムを構成する複数の照明器具のうちの他の照明器具を示している。
【図２２】本開示の実施の形態１１の別の例の照明システムの概略図である。図２２の左側は、照明システムを構成する複数の照明器具のうちの１つの照明器具を示し、図２２の右側は、照明システムを構成する複数の照明器具のうちの他の照明器具を示している。
【図２３】本開示の実施の形態１２の一例の照明システムの概略図である。図２３の左側は、照明システムを構成する照明器具を示し、図２３の右側は、照明システムを構成する外部機器を示している。
【図２４】本開示の実施の形態１２の他の例の照明システムの概略図である。図２４の（ａ）は、照明システムを構成する照明器具および外部機器の組合せのある状況を示し、図２４の（ｂ）は、照明システムを構成する照明器具および外部機器の組合せの他の状況を示している。
【図２５】本開示の実施の形態１２のさらに他の例の照明システムの概略図である。図２５の左側は、照明システムを構成する照明器具を示し、図２５の右側は、照明システムを構成する外部機器を示している。
【発明を実施するための形態】
【００１１】
以下、図面を参照しながら、実施の形態の照明器具および照明システムを説明する。以下の各図面においては、同一の参照符号が付された部分同士は、図面上における形状に多少の相違があっても、特段の記載がない限り、互いに同一の機能を発揮するものとする。
【００１２】
以下、図１を用いて、実施の形態の照明システム１０００の全体構成を説明する。
【００１３】
図１に示されるように、照明器具１００は、光源１、電子パネル２、制御部３、音情報取得部Ｓ、および撮像部Ｃを備えている。
【００１４】
光源１は、発光態様を変更可能であり、また、光信号を発することができる。電子パネル２は、たとえば、光源１が発した光を透過可能な液晶ディスプレイである。音声取得部Ｓは、照明器具１００の周辺の音情報を取得し、制御部３へ音情報を送信する。撮像部Ｃは、照明器具１００の周辺の所定の画像データを取得し、制御部３へ所定の画像データを送信する。
【００１５】
また、所定の画像データは、外部記憶部３０（サーバ３０ａ）、電気通信情報網Ｉ、およびコンピュータ５０経由して、制御部３へ送信される。また、所定の画像データは、照明器具１００と一体化加納な外部記憶部３０（記録媒体３０ｂ）から制御部３へ送信される。さらに、所定の画像データは、外部記憶部（通信機器３０ｓ）から制御部３へ直接送信される。また、所定の画像データは、外部記憶部（通信機器３０ｓ）の操作に基づいて、コンピュータ５０および電気通信情報網Ｉを経由して、制御部３へ送信される。コンピュータ５０は、外部記憶部３０（データベースＤＢ）との通信により、外部記憶部３０（データベースＤＢ）から所定の画像データを読み出し、その所定の画像データを照明機器１００の制御部３へ送信する。
【００１６】
制御部３は、外部記憶部３０としての記録媒体３０ｂが照明器具３０ｂに装着されると、記録媒体３０ｂに記憶された情報を読み取り、記憶することができる。
【００１７】
外部記憶部３０としての通信機器３０ｓは、たとえば、スマートフォン等の携帯端末である。通信機器３０ｓは、コンピュータ５０または照明器具１００の制御部３へ制御情報を送信し、照明器具１００を制御することができるパーソナルコンピュータ等である。さらに、照明器具３０は、光源１から周辺環境へ、特に、通信機器３０ｓへ光信号を発することができる。
【００１８】
照明システム１０００に用いられた照明器具１００の詳細については、以下の各実施の形態において説明される。
【００１９】
（実施の形態１）
以下、図２および図３を用いて、実施の形態１の照明器具１００を説明する。
【００２０】
図２に示されるように、本実施の形態の照明器具１００は、光を発する光源１と、光源１が発した光を加工して透過させる電子パネル２と、電子パネル２に所定の画像データを表示させるように、電子パネル２を制御する制御部３と、を備えている。つまり、本実施の形態の照明器具１００は、電子パネル２に所定の画像データを表示する表示装置として機能する。また、本実施の形態の照明器具１００は、制御部３が電子パネル２を完全に透明な状態にすると、通常の照明器具としても機能する。さらに、本実施の形態の照明器具１００は、制御部３が電子パネル２に半透明の状態で所定の画像データを表示すると、光源１が発する光と電子パネル２の表示とが重なった状態を照明器具１００の周囲に居る人に見せることができる。
【００２１】
図２においては、照明器具１００の一例として、室内において支持棒４によって天井から吊り下げられる例が示されているが、照明器具１００は、内壁に装着されるものであっても、床に置かれるものであってもよい。また、照明器具１００は、天井、壁、または、床に埋め込まれるものであってもよい。さらに、照明器具１００は、建物の外壁、屋根、道路、広場、または公園等の室外に設置されるものであってもよい。
【００２２】
前述の光源１は、発光ダイオードが透明カバーによって内包されたＬＥＤ（Light Emitting Diode）ランプである。しかしながら、光源１は、光を発するものであれば、いかなるものであってもよい。前述の電子パネル２は、特定の波長の光を透過したり、特定の波長の光の透過を制限したりすることにより、所定の画像データを表示することができるものであれば、いかなるものであってもよい。具体的には、前述の電子パネル２の一例としては、液晶パネルまたは有機エレクトロルミネッセンス（ＯＥＬ：Organic Electro-Luminescence）が挙げられる。さらに、前述の電子パネル２の一例としては、有機発光ダイオード（ＯＬＥＤ：Organic Light Emitting Diode）または電子ペーパ等が挙げられる。
【００２３】
本実施の形態においては、電子パネル２は、複数枚、たとえば、４枚の平面パネル２ａ，２ｂ，２ｃ，２ｄを角筒状に組み合わせたものであるが、有機エレクトロルミネッセンスまたは電子ペーパからなる曲面パネルであってもよい。たとえば、電子パネル２は、１つの円筒状の曲面パネルであってもよいし、可能であれば、半球状の曲面パネルであってもよい。電子パネル２は、光源１が発した光を加工して透過させ、所定の画像データを表示できるのであれば、いかなる形状を有していてもよい。
【００２４】
本実施の形態においては、筒状の電子パネル２の下端は開放されており、内部の光源１が照明器具１００の下側から直接見えるようになっている。しかしながら、照明器具１００は、その外部からその内部の光源１を直接見ることができないように、光源１が筐体状の構造によって内包されているものであってもよい。
【００２５】
また、照明器具１００は、壁、床、または天井の表面とほぼ同一平面を構成する平面状の電子パネル２と、その背面側に設けられた光源１と、そのような電子パネル２および光源１を制御する制御部３と、を備えていてもよい。
【００２６】
図３に示されるように、制御部３は、照明器具１００とは別体の外部記憶部３０に記憶された所定の画像データを外部記憶部３０から受信し、受信した所定の画像データを電子パネル２に表示させる。これによれば、外部記憶部３０に記憶された所定の画像データを変更または多様化することにより、照明器具１００の電子パネル２に表示される所定の画像データのバリエーションを豊富にすることができる。外部記憶部３０は、照明器具１００の外部に設けられているか、または、照明器具１００と一体化されて使用されるものであっても、照明器具１００から分離され得るものであれば、いかなるものであってもよい。
【００２７】
制御部３は、外部記憶部３０から送信されてきた所定の画像データを、記憶することなく、電子パネル２に順次表示させるものであってもよい。また、制御部３は、外部記憶部３０から送信されてきた所定の画像データを一時的に記憶する内部記憶部を有し、内部記憶部に一時的に記憶された所定の画像データを所定のタイミングで電子パネル２に表示させるものであってもよい。
【００２８】
前述の所定の画像データは、景色、人、動物、植物、物品、機器、または建物等、いかなる画像データであってもよい。また、所定の画像データは、文字、図形、および記号のうちの少なくともいずれか１つを含んでいてもよい。さらに、所定の画像データは、たとえば、広告等の所定の情報を含む画像データであってもよい。これによれば、照明器具１００の周囲の人に所定の情報を伝達することができる。
【００２９】
所定の画像データは、予め定められたプログラムにしたがって一定時間ごとに切替られたり、連続的に変更されたりするデータ、すなわち、切替画像データまたは動画データであってもよい。これによれば、照明器具１００の表示を自動的に変更することができる。
【００３０】
図３に示されるように、本実施の形態においては、外部記憶部３０は、インターネット等の電気通信情報網Ｉを経由して制御部３に対して通信可能に接続され、所定の画像データを記憶しているサーバ３０ａである。そのため、制御部３は、サーバ３０ａから送信されてきた所定の画像データを電子パネル２に表示させる。その結果、照明器具１００は、サーバ３０ａに記憶された膨大な数の画像データの中から選択された所定の画像データを電子パネル２に表示させることができる。
【００３１】
ただし、図３に示されるように、外部記憶部３０が無線通信を実行可能な通信機器３０ｓ、たとえば、リモートコントローラ、または、スマートフォンと呼ばれる携帯電話であってもよい。この場合、通信機器３０ｓがサーバ３０ａから画像データを予めダウンロードする。その後、必要な場合に、通信機器３０ｓが照明器具１００の制御部３へ直接または電気通信情報網Ｉを経由して所定の画像データを送信する。
【００３２】
制御部３は、外部記憶部３０としての通信機器３０ｓから所定の画像データを受信し、受信した所定の画像データを電子パネル２に表示させる。これによれば、たとえば、携帯電話等の既に所持している通信機器３０ｓを利用して簡単に所定の画像データを照明器具１００に表示させることができる。
【００３３】
また、利用者が通信機器３０ｓからサーバ３０ａへ要求情報を送信してもよい。この場合、サーバ３０ａは、その要求情報に基づいて、電気通信情報網Ｉを経由して照明器具１００の制御部３へ所定の画像データを送信する。上記したいずれの場合も、利用者は、通信機器３０ｓを操作するだけで、照明器具１００に表示させる所定の画像データを選択することができる。
【００３４】
通信機器３０ｓとしては、リモートコントローラまたはスマートフォンの代わりに、インターネット等の電気通信情報網Ｉに通信可能に接続されたパーソナルコンピュータ等のコンピュータ５０（図１参照）が用いられてもよい。この場合、パーソナルコンピュータ等のコンピュータ５０がインターネットＩを経由してサーバ３０ａから画像データを予めダウンロードする。その後、必要な場合に、パーソナルコンピュータ等のコンピュータ５０が照明器具１００の制御部３へ電気通信情報網Ｉを経由して所定の画像データを送信する。コンピュータ５０は、人工知能が内蔵されたものであってもよい。
【００３５】
本実施の形態においては、予め定められたルールにしたがって、サーバ３０ａの管理者が決定した所定の画像データがサーバ３０ａから自動的に送信されてくるものとする。ただし、制御部３が利用者によって操作され得る操作部としての通信機器３０ａを有していてもよい。操作部としての通信機器３０ａは、タブレット端末またはスマートフォン等の携帯端末である。この場合、操作部としての通信機器３０ａの操作によって利用者が選択した所定の画像データを要求する情報がサーバ３０ａへ送信される。それにより、サーバ３０ａは、照明器具１００の制御部３から受信した所定の画像データを要求する情報に基づいて、制御部３へ所定の画像データを送信する。
【００３６】
本実施の形態において実行される手順をフローチャートを用いて説明する。
【００３７】
図４に示されるように、ステップＳ１において、照明器具１００の使用者は、制御部３の内部記憶部または外部記憶部３０に所定の画像データを保存する。内部記憶部は、制御部３の記憶部である。次に、ステップＳ２において、使用者は、照明器具１００の電源をオンする。その後、ステップＳ３において、使用者は、外部記憶部３０であってかつ操作部として機能する通信機器３０ａでデータベースＤＢに格納されている多数の所定の画像データのうちから１つの所定の画像データを選択する。ステップＳ４においては、制御部３が電源１を発光させるとともに、内部記憶部または外部記憶部３０の所定の画像データを電子パネル２に表示させる。
【００３８】
（実施の形態２）  
以下、図５を用いて、実施の形態２の照明器具１００を説明する。
【００３９】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００４０】
図５に示されるように、本実施の形態においては、実施の形態１のサーバ３０ａまたは通信機器３０ｓの代わりに、外部記憶部３０として、制御部３に装着されることによって読み取り可能となる所定の画像データを記憶している記録媒体３０ｂが用いられる。記録媒体３０ｂは、制御部３の挿入口３ａに挿入される。それにより、記録媒体３０ｂは、制御部３に電気的に接続され、制御部３と通信可能になる。その結果、制御部３は、制御部３に装着された記録媒体３０ｂから読み取られた所定の画像データを電子パネル２に表示させる。
【００４１】
本実施の形態の照明器具１００によれば、記録媒体３０ｂを制御部３に装着するという利用者の簡単な手作業のみで、所定の画像データを照明器具１００の電子パネル２に表示させることができる。本実施の形態の場合、記録媒体３０ｂに記憶された所定の画像データを変更するか、または、記憶されている所定の画像データが異なるいくつかの記録媒体３０ｂを利用する。それにより、照明器具１００に表示させる所定の画像データのバリエーションを豊富にすることができる。
【００４２】
記録媒体３０ｂは、メモリスチック、メモリチップ、メモリカード、光ディスク、または磁気ディスク等、制御部３によって読み取られ得る態様で所定の画像データを記憶しているものであれば、いかなるものであってもよい。また、記録媒体３０ｂは、所定の画像データの変更を容易にするため、既に普及している電子機器、たとえば、パーソナルコンピュータまたはスマートフォンによって書き換え可能な態様で、所定の画像データを記憶しているものであることが好ましい。
【００４３】
（実施の形態３）  
以下、図６を用いて、実施の形態３の照明器具１００を説明する。
【００４４】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００４５】
図６に示される光源１は、調光および調色のうち少なくともいずれか一方を実行可能なＬＥＤ（Light Emitting Diode）である。ただし、光源１は、調光および調色のうち少なくともいずれか一方を実行可能であれば、いかなるものであってもよい。この光源１を用いれば、制御部３は、電子パネル２を制御しながら、光源１から発せられた光の調光および調色の少なくともいずか一方を実行することができる。
【００４６】
このような本実施の形態の照明器具１００によれば、電子パネル２の制御と光源１の制御とを組合せることによって、電子パネル２に表示される所定の画像データのバリエーションをさらに豊富にすることができる。また、たとえば、光源１の光と半透明の電子パネル２の画像データとを組み合わせることによって、図６に示されるような従来とは異なる光源１と電子パネル２とによる一体的な演出のバリエーションを豊富にすることができる。
【００４７】
本実施の形態の照明器具１００の構成は、実施の形態１または２の照明器具１００の構成と組み合わせられてもよい。
【００４８】
（実施の形態４）  
以下、図７を用いて、実施の形態４の照明器具１００を説明する。
【００４９】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００５０】
図７に示されるように、本実施の形態の照明器具１００は、内部の光源１（図示せず）および所定の画像データを表示する電子パネル２に加えて、照明器具１００の周辺の画像データを取得する撮像部Ｃを備えている。制御部３は、撮像部Ｃが取得した照明器具１００の周辺の画像データに応じて、電子パネル２に所定の画像データを表示させるように電子パネル２を制御する。そのため、照明器具１００の周辺の状況に応じた所定の画像データを電子パネル２に表示させることができる。
【００５１】
本実施の形態の照明器具１００によれば、たとえば、人Ｈが照明器具１００からある程度の距離の位置まで近づいたときに、光源１を点灯させたり、電子パネル２に所定の画像データを変化させたりすることができる。また、たとえば、人Ｈが照明器具１００からある程度の距離の位置から遠ざかったときに、光源１を消灯させたり、電子パネル２に所定の画像データを変化させたりすることができる。
【００５２】
また、たとえば、制御部３は、撮像部Ｃによって取得された照明器具１００の周辺の画像データに含まれる人Ｈが静止している場合には、所定の画像データとして静止画像データを電子パネル２に表示させてもよい。この場合、制御部３は、撮像部Ｃによって取得された照明器具１００の画像データに含まれる人Ｈが移動することなく動作していれば、所定の画像データとして時系列的に変化する動画データを電子パネル２に表示させてもよい。
【００５３】
また、制御部３は、たとえば、撮像部Ｃによって取得された照明器具１００の周辺の画像データに含まれる人Ｈが移動している場合には、所定の画像データとして物や人が移動している動画データを電子パネル２に表示させてもよい。このようにすることにより、照明器具１００の周辺に存在する人Ｈの興味を惹く演出を行うことができる。
【００５４】
本実施の形態の照明器具１００の変形例として、制御部３は、撮像部Ｃが撮像した照明器具１００の周辺の画像データをインターネットＩを介してサーバ３０ａへ送信してもよい。この場合、サーバ３０ａは、人工知能を内蔵されていてもよい。サーバ３０ａの人工知能は、撮像部Ｃが撮像した照明器具１００の周辺の画像データに適した所定の画像データを選択し、制御部３へ送信する。それにより、制御部３は、照明器具１００の周辺の画像データに基づいてサーバ３０ａの人工知能によって選択された所定の画像データを受信し、受信した所定の画像データを電子パネル２に表示させる。これによっても、照明器具１００の周辺の状況に応じた所定の画像データを電子パネル２に表示させることができる。
【００５５】
本実施の形態の照明器具１００の構成は、実施の形態１〜３のいずれかの照明器具１００の構成と組み合わせられてもよい。
【００５６】
（実施の形態５）  
以下、図８および図９を用いて、実施の形態５の照明器具１００を説明する。
【００５７】
本実施の形態の照明器具１００は、実施の形態４の照明器具１００とほぼ同一であるので、その同一である部分の説明は繰り返さない。本実施の形態の照明器具１００は、以下に説明する事項に関して、実施の形態４の照明器具１００と異なっている。
【００５８】
図８に示されるように、本実施の形態の照明器具１００も、実施の形態４の照明器具１００と同様に、照明器具１００の周辺の画像データを取得する撮像部Ｃを備えている。制御部３は、撮像部Ｃが取得した照明器具１００の周辺の画像データに応じて、電子パネル２に所定の画像データを表示させるように電子パネル２を制御する。
【００５９】
図８では、便宜的に、１つの撮像部Ｃが描かれているが、複数の撮像部Ｃが照明器具１００に設けられていてもよい。また、複数の撮像部Ｃは水平面内の３６０度の全方位にわたって照明器具１００の周辺の画像データを取得できるように配置されていることが好ましい。ただし、１つの撮像部Ｃが鉛直方向に沿って延びる仮想軸まわりに回転可能に照明器具１００に設けられていてもよい。この場合、３６０度の全方位における照明器具１００の周辺の画像データが、１つの撮像部Ｃの仮想軸まわりの回転によって時系列的に取得されてもよい。
【００６０】
図９に示されるように、本実施の形態の照明器具１００の制御部３は、時間を計時するタイマ３Ｔを備えている。また、制御部３は、撮像部Ｃが取得した照明器具１００の周辺の画像データに基づいて照明器具１００の周辺に居る人Ｈの視線の先にある物または表示を特定する特定部３Ｓを備えている。
【００６１】
また、本実施の形態の制御部３は、画像データを取得したときのタイマ３Ｔの値と特定部３Ｓによって特定された人Ｈの視線の先にある物または表示のデータとを関連付けて記憶する記憶部３Ｍを備えている。また、制御部３は、記憶部３Ｍに記憶されたタイマ３Ｔの値と人Ｈの視線の先にある物また表示のデータとを用いて、照明器具１００の周辺に居る人Ｈの嗜好を推定する推定部３Ｃを備えている。
【００６２】
本実施の形態においては、制御部３は、人Ｈが存在する方向に向かっている電子パネル２の表示を予め定められた手順にしたがって順次切り替える。その後、制御部３は、撮像部Ｃによって取得された画像データに含まれる人Ｈの目の画像データの画像処理を行う。それにより、制御部３は、電子パネル２に表示されている複数種類の所定の画像データの中から、記憶部３Ｍに記憶された所定の画像データごとのタイマ３Ｔの計時時間に基づいて、人Ｈが見ている時間が最も長い所定の画像データを決定する。なお、人Ｈの視線の先にある物また表示のデータは、電子パネル２が表示している所定の画像データである。なお、人Ｈは、照明器具１００の最も近くに居る人であるものとする。
【００６３】
その後、推定部３Ｃは、人Ｈが見ているタイマ３Ｔが計時した時間が最も長い所定の画像データを人Ｈが一番興味を有している所定の画像データであると推定する。それにより、制御部３は、推定部３Ｃの推定に基づいて、所定の画像データを電子パネル２に表示させる時間を長くする。その結果、照明器具１００は、複数種類の所定の画像データの中から、照明器具１００の周囲の人Ｈにその人Ｈが最も興味を有すると推定される情報をより長い時間提供することができる。
【００６４】
ただし、人Ｈの嗜好の推定は、物または表示を人Ｈが見ている時間の長さ以外に、人Ｈの瞳孔の大きさ等によって決定されてもよい。たとえば、興味をより多く惹かれるものに対して人Ｈが瞳孔をより大きくすると見なして、人Ｈの嗜好を推定してもよい。
【００６５】
また、人Ｈが照明器具１００に対して背中を向けており、人Ｈの目を撮像することができない状況においては、推定部３Ｃは、撮像部Ｃによって取得された画像データの人Ｈ以外の部分の画像データから人Ｈの嗜好を推定してもよい。たとえば、推定部３Ｃは、撮像部Ｃが撮像した画像データに化粧品が含まれている場合には、その人Ｈの視線は化粧品に向けられているものと見なして、制御部３は、電子パネル２に化粧品の画像データを表示させてもよい。これにより、照明器具１００の周辺に居る人Ｈの興味を惹くことができる情報を提供することが可能になる。なお、推定部３Ｃは、人Ｈが照明器具１００に対して背中を向けている場合には、人Ｈの後ろ姿から人Ｈがいずれの方向を見ているかを推定する。推定部３Ｃの推定の精度を向上させるためには、実験によって人Ｈの後ろ姿の状態ごとに視線の方向が予め確認されていることが好ましい。
【００６６】
上記した本実施の形態の照明器具１００によれば、制御部３は、推定部３Ｃによって推定された照明器具１００の周辺に居る人Ｈの嗜好に適合した情報を、所定の画像データとして選択し、電子パネル２に表示させるように電子パネル２を制御する。そのため、電子パネル２に照明器具１００の周辺に居る人Ｈに役立つ情報を表示させることが可能になる。
【００６７】
本実施の形態の照明器具１００の変形例として、制御部３は、撮像部Ｃが撮像した照明器具１００の周辺の画像データを外部記憶部３０としてのサーバ３０ａへ送信してもよい。この場合、サーバ３０ａは、人工知能を内蔵している。それにより、サーバ３０ａの人工知能が、撮像部Ｃが撮像された照明器具１００の周辺の画像データに基づいて、人Ｈの嗜好を推定する。つまり、サーバ３０ａは、上記した推定部３Ｃと同様の機能を発揮する。したがって、サーバ３０ａは、人Ｈの嗜好に応じた所定の画像データを選択し、制御部３へ送信する。それにより、制御部３は、照明器具１００の周辺の画像データに基づいてサーバ３０ａの人工知能によって選択された所定の画像データをサーバ３０ａから受信し、受信した所定の画像データを電子パネル２に表示させる。これによっても、電子パネル２に照明器具１００の周辺に居る人Ｈに役立つ情報を表示させることができる。
【００６８】
本実施の形態において実行される手順をフローチャートを用いて説明する。
【００６９】
図１０に示されるように、ステップＳ１において、使用者は、制御部３の内部記憶部または外部記憶部３０に所定の画像データを保存する。内部記憶部は、制御部３の記憶部である。次に、ステップＳ２において、使用者は、照明器具１００の電源をオンする。その後、ステップＳ３Ａ１において、撮像部Ｃが周辺の状況の画像情報を取得する。ステップＳ３Ａ２において、周辺の状況に応じて、制御部３またはコンピュータ５０がデータベースＤＢ（図１参照）に格納された多数の所定の画像データのうちから１つの所定の画像データを選択する。ステップＳ４においては、制御部３が内部記憶部または外部記憶部３０の選択された所定の画像データを電子パネル２に表示する。
【００７０】
本実施の形態の照明器具１００の構成は、実施の形態１〜４のいずれかの照明器具１００の構成と組み合わせられてもよい。
【００７１】
（実施の形態６）  
以下、図１１を用いて、実施の形態６の照明器具１００を説明する。
【００７２】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００７３】
図１１に示されるように、照明器具１００は、照明器具１００の周辺で生じた音情報を取得する音情報取得部Ｓを備えている。音情報取得部Ｓの一例としては、マイクロフォン付きのレコーダ等が挙げられる。制御部３は、音情報取得部Ｓによって取得された音情報に応じて、電子パネル２に所定の画像データを表示させるように電子パネル２を制御する。本実施の形態の照明器具１００によれば、照明器具１００の周辺で生じている音情報の状況に応じた所定の画像データを表示させることができる。
【００７４】
たとえば、ダンスホールで流れている音楽のリズムや音の高低に合わせて、照明器具１００の電子パネル２に表示される所定の画像データを変化させることにより、従来においては実現されなかった演出を実現することができる。また、照明器具１００の周辺に居る人の音声がある程度以上大きければ、「静かに！」等の警告表示を出すこともできる。さらに、照明器具１００の周辺に居る人が、例えば、「時計」と言えば、現在の時刻を表示し、「お天気」と言えば、天気予報を表示してもよい。つまり、制御部３は、人Ｈの音声に対応する所定の画像データを電子パネル２に表示させてもよい。
【００７５】
本実施の形態の照明器具１００の変形例として、制御部３は、音情報取得部Ｓが取得した音情報をサーバ３０ａ等の外部記憶部３０へ送信してもよい。この場合、外部記憶部３０としてのサーバ３０ａは、人工知能を内蔵していてもよい。この場合、サーバ３０ａの人工知能は、音情報取得部Ｓが取得した照明器具１００の周辺の音情報に適した所定の画像データを選択し、制御部３へ送信する。それにより、制御部３は、音情報に基づいてサーバ３０ａの人工知能によって選択された所定の画像データをサーバ３０ａから受信し、受信した所定の画像データを電子パネル２に表示させる。これによっても、照明器具１００の周辺で生じている音の状況に応じた所定の画像データを表示させることができる。
【００７６】
本実施の形態において実行される手順をフローチャートを用いて説明する。
【００７７】
図１２に示されるように、ステップＳ１において、使用者は、制御部３の内部記憶部または外部記憶部３０に所定の画像データを保存する。次に、ステップＳ２において、使用者は、照明器具１００の電源をオンする。その後、ステップＳ３Ｂ１において、音情報取得部Ｓが周辺の状況の音情報を取得する。ステップＳ３Ｂ２において、音情報に応じて、制御部３またはコンピュータ５０がデータベースＤＢ（図１参照）に格納された多数の所定の画像データのうちから1つの所定の画像データを選択する。ステップＳ４においては、制御部３が内部記憶部または外部記憶部３０の所定の画像データを電子パネル２に表示する。
【００７８】
本実施の形態の照明器具１００の構成は、実施の形態１〜５のいずれかの照明器具１００の構成と組み合わせられてもよい。
【００７９】
（実施の形態７）  
以下、図１３を用いて、実施の形態７の照明器具１００を説明する。
【００８０】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００８１】
図１３に示されるように、本実施の形態の照明器具１００は、光源１が発した光を反射する反射部Ｒを備えている。また、本実施の形態の照明器具１００の光源１は、１点のみから光を発する点発光部ではなく、面全体から光を発する面発光部である。反射部Ｒは、面発光部からなる光源１に対向する位置に設けられている平板である。
【００８２】
本実施の形態においては、光源１が発した光は、反射部Ｒで反射される。したがって、光源１が発した光および反射部Ｒで反射された光が電子パネル２を透過する。本実施の形態の照明器具１００によれば、光源１を電子パネル２の背面側に設ける必要がなくなるため、反射部Ｒを利用して照明器具１００の形状を様々に変化させることができる。その結果、照明器具１００のデザインのバリエーションを豊富にすることができる。
【００８３】
本実施の形態の照明器具１００の構成は、実施の形態２〜６のいずれかの照明器具１００の構成と組み合わせられてもよい。
【００８４】
（実施の形態８）  
以下、図１４を用いて、実施の形態８の照明器具１００を説明する。
【００８５】
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００８６】
図１４に示されるように、本実施の形態の照明器具１００は、光源１が発した光を反射し、光を導く導光部Ｇを備えている。導光部Ｇの反射によって導かれた光が電子パネル２を透過する。この構成によっても、導光部Ｇの形状を異ならせることにより、照明器具１００のデザインのバリエーションを豊富にすることができる。
【００８７】
本実施の形態の照明器具１００の構成は、実施の形態２〜６のいずれかの照明器具１００の構成と組み合わせられてもよい。
【００８８】
（実施の形態９）
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００８９】
以下、図１５および図１６を用いて、実施の形態９の照明器具１００を説明する。
【００９０】
図１５に示されるように、外部記憶部３０としてのデータベースＤＢは、データテーブルＤＴを有している。ただし、データテーブルＤＴは、記憶されている情報を照明器具１００の制御部３へ送信し得るのであれば、いかなる外部記憶部３０（サーバ３０ａ、記録媒体３０ｂ、データベースＤＢ等）に設けられていてもよい。コンピュータ５０は、外部機器３０（サーバ３０ａ、記録媒体３０ｂ、データベースＤＢ等）に記憶されたデータテーブルＤＴを制御部３へ送信する。それにより、制御部３は、データテーブルＤＴに記憶されたデータを利用して表示パネル２および光源１を制御する。
【００９１】
本実施の形態の照明器具１００は、具体的には、たとえば、レストランで使用される。この場合、データベースＤＢに格納されたデータテーブルＤＴは、たとえば、光源１が発する光信号と表示パネル２の所定の画像データとを１対１の関係で関連付けて記憶している。コンピュータ５０は、データベースＤＢからデータテーブルＤＴを読み出し、照明器具１００の制御部３へ送信する。それにより、制御部３は、照明器具１００の表示パネル２にデータテーブルＤＴに記憶されている発光パネル２の所定の画像データを表示させ、光源１にデータテーブルＤＴに記憶されている発光信号を発信させる。
【００９２】
表示パネル２に表示される所定の画像データが、「和食」のサンプル画像データである場合には、それに関連付けられた光源１が発する光信号によって特定される情報は、その「和食」の「料理名」および「価格」である。表示パネル２に表示される所定の画像データが、「洋食」のサンプル画像データである場合には、それに関連付けられた光源１が発する光信号によって特定される情報は、その「洋食」の「料理名」および「価格」である。表示パネル２に表示される所定の画像データが、「中華料理」のサンプル画像データである場合には、それに関連付けられた光源１が発する光信号によって特定される情報は、その「中華料理」の「料理名」および「価格」である。表示パネル２に表示される所定の画像データは、「イタリア料理」のサンプル画像データである場合には、それに関連付けられた光源１が発する光信号によって特定される情報は、その「イタリアン料理」の「料理名」および「価格」である。
【００９３】
図１６に示されるように、制御部３は、発光パネル２のある数の所定の画像データのうちのいずれか１つの特定の画像データ、たとえば、「洋食」の画像データを表示パネル２に表示させている。このとき、制御部３は、複数の光信号のうちから選択された特定の画像データに対応する特定の光信号、「洋食」の「料理名」および「価格」を光源１に発信させる。
【００９４】
通信機器３０ｓ（図１参照）は、光源１から発信された光信号を、通常はカメラとして使用されている受光器で読み取り、光信号によって特定される情報、「洋食」の「料理名」および「価格」を自身の表示部に表示させる。そのため、通信機器３０ｓには、受光器によって受信された光信号によって特定される情報を自身の表示部に表示するための専用のアプリケーションソフトウエアがインターネットＩ上の特定のサイトからダウンロードされ、記憶されている。
【００９５】
本実施の形態の照明器具１００によれば、光信号を受信した通信機器３０ｓ（図１参照）としてのスマートフォン等に表示パネル２に表示されている「洋食」の画像データに関連した「洋食」の「料理名」および「価格」を表示させることができる。したがって、通信機器３０ａとしてのスマートフォンの使用者は、表示パネル２に表示されている「洋食」の「料理名」および「価格」を容易に把握することができる。
【００９６】
なお、光信号は、可視光線であるが、高速で点滅するため、使用者が肉眼で光信号を認識することはない。
【００９７】
本実施の形態の照明器具１００の構成は、実施の形態１〜８のいずれかの照明器具１００の構成と組み合わせられてもよい。
【００９８】
（実施の形態１０）
本実施の形態の照明器具１００は、実施の形態１の照明器具１００とほぼ同一であるので、その同一である部分の説明は繰り返さない。本実施の形態の照明器具１００は、以下に説明する事項に関して、実施の形態１の照明器具１００と異なっている。
【００９９】
以下、図１７および図１８を用いて、実施の形態１０の照明器具１００を説明する。
【０１００】
図１７に示されるように、外部記憶部３０としてのデータベースＤＢは、複数種類のカテゴリごとに、表示パネル２に表示される所定の画像データと光源１が発する発光態様とを関連付けて記憶したデータテーブルＤＴを有している。データベースＤＢに設けられたデータテーブルＤＴは、いかなる外部記憶部３０（サーバ３０ｂ、記録媒体３０ｂ、データベースＤＢ等）に設けられていてもよい。
【０１０１】
本実施の形態の照明器具１００は、たとえば、ファッションブランドのショップで使用される。この場合、データテーブルＤＴは、カテゴリ「春」、表示パネル２の所定の画像データ「桜」、および光源１の発光態様「ピンク」を関連付けて記憶している。データテーブルＤＴは、カテゴリ「夏」、表示パネル２の所定の画像データ「海」、および光源１の発光態様「青」を関連付けて記憶している。データテーブルＤＴは、カテゴリ「秋」、表示パネル２の所定の画像データ「紅葉」、および光源１の発光態様「オレンジ」を関連付けて記憶している。データテーブルＤＴは、カテゴリ「冬」、表示パネル２の所定の画像データ「雪」、および光源１の発光態様「白」を関連付けて記憶している。
【０１０２】
複数種類のカテゴリ「春」、「夏」、「秋」、および「冬」のうちのいずれか１つの特定のカテゴリが外部の通信機器３ｓによって指定される場合がある。たとえば、通信機器３０ｓとしてのスマートフォンを操作して、たとえば、「春」というカテゴリが選択される場合がある。
【０１０３】
この場合に、照明器具１００は、図１７に示されるデータテーベースＤＢから、コンピュータ５０および通信機器３０ｓを経由して、「春」のカテゴリに属する表示パネル２の所定の画像データ「桜」と、光源１の発光態様「ピンク」の発光態様のデータとを受信する。それにより、制御部３は、特定のカテゴリ「春」に属する所定の画像データ「桜」を表示パネル２に表示させる。このとき、制御部３は、特定のカテゴリ「春」に属する発光態様「ピンク」で光源１を発光させる。
【０１０４】
上記の本実施の形態の照明器具１００によれば、通信機器３ｓによってカテゴリを指定するだけで、表示パネル２の所定の画像データと光源１の発光態様とが関連付けられた演出を実行することができる。その結果、たとえば、ファッションブランドのショップの雰囲気を、単に趣向を指定するだけで、その趣向に相応しい雰囲気に変更することができる。
【０１０５】
本実施の形態において実行される手順をフローチャートを用いて説明する。
【０１０６】
図１８に示されるように、ステップＳ１において、使用者は、制御部３の内部記憶部または外部記憶部３０に所定の画像データを保存する。次に、ステップＳ２において、使用者は、照明器具１００の電源をオンする。その後、ステップＳ３Ｃ１において、操作部としての通信機器３０ａに、趣向、具体的には、カテゴリを入力する。ステップＳ３Ｃ２において、コンピュータ５０が所定の画像データを選択する。ステップＳ４においては、制御部３が内部記憶部または外部記憶部３０の所定のカテゴリに属する所定の画像データを電子パネル２に表示する。このとき、制御部３は、所定の画像データに関連付けられたカテゴリに属する発光態様で光源１を発光させる。
【０１０７】
本実施の形態の照明器具１００の構成は、実施の形態１〜９のいずれかの照明器具１００の構成と組み合わせられてもよい。
【０１０８】
（実施の形態１１）  
以下、図１９〜図２１を用いて、実施の形態１１の照明システムを説明する。
【０１０９】
本実施の形態の照明システム１０００に用いられている照明器具１００は、実施の形態１〜１０の照明器具１００と同一であるので、その同一である部分の説明は繰り返さない。本実施の形態の照明システム１０００の特徴的構成を主に説明する。
【０１１０】
本実施の形態の照明システム１０００は、複数の照明器具１００を備えている。通常、複数の照明器具１００のそれぞれは、図１９に示されるように、互いに異なる所定の画像データを表示している。しかしながら、あるタイミングで、図２０に示されるように、複数の制御部３は、互いに同期して複数の電子パネル２のそれぞれに同一の所定の画像データを表示させるように複数の電子パネル２を制御する。
【０１１１】
つまり、複数の照明器具１００のうちのある照明器具１００の制御部３があるプログラムを実行すると、そのある照明器具１００が、所定の信号を送信し、その所定の信号を受信した他の照明器具１００がそのあるプログラムを実行する。それにより、複数の照明器具１００は、同一の所定の画像データをほぼ同時期に表示する。ただし、複数の制御部３が互いに同期して複数の電子パネル２のそれぞれに同一の所定の画像データを表示させるように複数の電子パネル２を制御するのであれば、その方法はいかなるものであってもよい。たとえば、図３に示される通信機器３０ｓからサーバ３０ａへ所定の画像データの送信を要求する信号が送信され、サーバ３０ａから同一の所定の画像データが同期して制御部３へ送信されてもよい。それにより、制御部３が同期して電子パネル２に同一の所定の画像データを同期して表示させてもよい。
【０１１２】
また、複数の照明器具１００の複数の制御部３は、複数の電子パネル２に全体として１つの一体化された所定の画像データを表示させるように複数の電子パネル２を制御してもよい。これによれば、複数の照明器具１００の周辺で所定の画像データを見た人に大きなインパクトを与えることができる。
【０１１３】
たとえば、図２１の（ａ）に示されるように、走行する１台の自動車がある１つの照明器具１００に表示され、他の照明器具１００には何も表示されていない。その後、図２１の（ｂ）に示されるように、その走行する１台の自動車が、そのある１つの照明器具１００から消失し、その他の照明器具１００に表示される。このように、一体化された所定の画像データの表示として、１つの動画が複数の照明器具１００によって全体として表示されてもよい。これによれば、複数の照明器具１００によって時間の流れが読み取られ得る演出を実行することができる。
【０１１４】
また、本実施の形態の照明システム１０００においては、たとえば、図２２に示されるように、１台の自動車が２台の照明器具１００によって分割されて表示されてもよい。つまり、ある１つの照明器具１００が１台の自動車の前方部を表示し、他の１つの照明器具１００が１台の自動車の後方部を表示してもよい。これによっても、照明器具１００の周辺に居る人の興味を惹くことができる。
【０１１５】
（実施の形態１２）
以下、図２３〜図２５を用いて、実施の形態１２の照明システムを説明する。
【０１１６】
本実施の形態の照明システム１０００に用いられている照明器具１００は、実施の形態１〜８の照明器具１００と同一であるので、その同一である部分の説明は繰り返さない。本実施の形態の照明システム１０００の特徴的構成を主に説明する。
【０１１７】
図２３に示されるように、本実施の形態の照明システム１０００は、照明器具１００と外部機器２００とを備えている。外部機器２００は、パーソナルコンピュータ等に電気的に接続され得る液晶ディスプレイである。外部機器２００は、照明器具１００と、表示部２０２および表示部２０２を制御する表示制御部２０３とを有する外部機器２００とを備えている。
【０１１８】
図２３に示されるように、制御部３および表示制御部２０３は、それぞれ、互いに同期して電子パネル２および表示部２０２のそれぞれに同一の所定の画像データを表示させるように電子パネル２および表示部２０２を制御する。つまり、照明器具１００と外部機器２００とを含む照明システム１０００のうちの照明器具１００の制御部３または外部機器２００の表示制御部２０３があるプログラムを実行する。それと同時に、そのある照明器具１００または外部機器２００が、所定の信号を送信し、その所定の信号を受信した外部機器２００または照明器具１００がそのあるプログラムを実行する。それにより、照明器具１００と外部機器２００とは、同一の所定の画像データをほぼ同時期に表示する。これによれば、照明器具１００と外部機器２００の周辺で所定の画像データを見た人に大きなインパクトを与えることができる。
【０１１９】
ただし、制御部３と表示制御部２０３とが互いに同期して複数の電子パネル２のそれぞれに同一の所定の画像データを表示させるように複数の電子パネル２を制御するのであれば、その方法はいかなるものであってもよい。たとえば、図３に示される通信機器３０ｓからサーバ３０ａへ所定の画像データの送信を要求する信号が送信され、サーバ３０ａから同一の所定の画像データが同期して制御部３および表示制御部２０３へ送信されてもよい。それにより、制御部３および表示制御部２０３が、それぞれ、同期して電子パネル２および表示部２０２に同一の所定の画像データを同期して表示させてもよい。
【０１２０】
また、たとえば、制御部３および表示制御部２０３は、それぞれ、図２４の（ａ）に示されるように、走行している１台の自動車が１つの照明器具１００に表示されるように、電子パネル２および表示部２０２を制御してもよい。このとき、外部機器２００には、いかなる自動車も表示されていない。その後、図２４の（ｂ）に示されるように、制御部３および表示制御部２０３は、その走行している１台の自動車が照明器具１００の電子パネル２から消失し、外部機器２００の表示部２０２に表示されるように、電子パネル２および表示部２０２を制御してもよい。これによっても、照明器具１００と外部機器２００の周辺で所定の画像データを見た人に大きなインパクトを与えることができる。
【０１２１】
また、実施の形態１１と同様に、本実施の形態の照明システム１０００においては、制御部３と表示制御部２０３とは、図２５に示されるように、電子パネル２および表示部２０２に全体として１つの一体化された所定の画像データを表示させてもよい。これによっても、照明器具１００と外部機器２００の周辺で所定の画像データを見た人に大きなインパクトを与えることができる。
【０１２２】
（特定的構成およびそれにより得られる効果）  
以下、実施の形態の照明器具１００および照明システム１０００の特徴的構成およびそれにより得られる効果を述べる。
【０１２３】
（１）  実施の形態の照明器具１００は、光を発する光源１と、光源１が発した光を加工して透過させる電子パネル２と、電子パネル２に所定の画像データを表示させるように、電子パネル２を制御する制御部３と、を備えている。制御部３は、照明器具１００とは別体の外部記憶部３０に記憶された所定の画像データを外部記憶部３０から受信し、受信した所定の画像データを電子パネル２に表示させる。これによれば、外部記憶部３０に記憶された所定の画像データを変更することにより、照明器具１００の電子パネル２に表示される画像データのバリエーションを豊富にすることができる。
【０１２４】
（２）  外部記憶部３０は、電気通信情報網Ｉを経由して制御部３と通信可能に接続され、所定の画像データを記憶しているサーバ３０ａであってもよい。この場合、制御部３は、サーバ３０ａから送信されてきた所定の画像データを電子パネル２に表示させる。これによれば、サーバ３０ａに記憶された膨大な数の画像データの中から選択された所定の画像データを照明器具１００の電子パネル２に表示させることができる。
【０１２５】
（３）  外部記憶部３０は、制御部３に装着されることによって読み取り可能となる所定の画像データを記憶している記録媒体３０ｂであってもよい。この場合、制御部３は、制御部３に装着された記録媒体３０ｂから読み取られた所定の画像データを電子パネル２に表示させる。これによれば、記録媒体３０ｂを制御部３に装着するという簡単な作業のみで、所定の画像データを照明器具１００の電子パネル２に表示させることができる。
【０１２６】
（４）  外部記憶部３０が無線通信を実行可能な通信機器３０ｓであってもよい。この場合、制御部３は、通信機器３０ｓから所定の画像データを受信し、受信した所定の画像データを電子パネル２に表示させる。これによれば、通信機器３０ｓを利用して電子パネル２に表示させる所定の画像データを簡単に選択することができる。
【０１２７】
（５）  所定の画像データは、予め定められたプログラムにしたがって自動的に変更されるデータであってもよい。これによれば、照明器具１００およびその周辺の雰囲気を自動的に変更することができる。
【０１２８】
（６）  照明器具１００は、光源１が発した光を反射する反射部Ｒまたは光源１が発した光を導く導光部Ｇをさらに備えていてもよい。この場合、反射部Ｒで反射された光または導光部Ｇによって導かれた光が電子パネル２を透過する。これによれば、照明器具１００のデザインのバリエーションを豊富にすることができる。
【０１２９】
（７）  光源１は、調光および調色のうち少なくともいずれか一方を実行可能なものであってもよい。この場合、制御部３は、電子パネル２を制御しながら、光源１から発せられた光の調光および調色の少なくともいずれか一方を実行するように、光源１を制御する。これによれば、電子パネル２の制御と光源１の制御とを組合せることによって、所定の画像データのバリエーションをさらに豊富にすることができる。
【０１３０】
（８）  照明器具１００は、照明器具１００の周辺の画像データを取得する撮像部Ｃをさらに備えていてもよい。制御部３は、撮像部Ｃが取得した照明器具１００の周辺の画像データに応じて、電子パネル２に所定の画像データを表示させるように電子パネル２を制御してもよい。これによれば、照明器具１００の周辺の状況に応じた所定の画像データを表示させることができる。
【０１３１】
（９）  制御部３は、撮像部Ｃが取得した照明器具１００の周辺の画像データに基づいて照明器具１００の周辺に居る人Ｈの視線の先にある物または表示を特定する特定部３Ｓを備えていてもよい。制御部３は、人Ｈの視線の先にある物または表示のデータを記憶する記憶部３Ｍを備えていてもよい。制御部３は、人Ｈの視線の先にある物また表示のデータに基づいて、照明器具１００の周辺に居る人Ｈの嗜好を推定する推定部３Ｃを備えていてもよい。制御部３は、推定部３Ｃによって推定された照明器具１００の周辺に居る人Ｈの嗜好に適合した情報を、所定の画像データとして生成し、電子パネル２に表示させるように電子パネル２を制御してもよい。これによれば、照明器具１００の周辺に居る人Ｈに役立つ情報を電子パネル２に表示させることができる。
【０１３２】
（１０）  照明器具１００は、照明器具１００の周辺の画像データを取得する撮像部Ｃをさらに備えていてもよい。制御部３は、撮像部Ｃが撮像した照明器具１００の周辺の画像データを送信し、照明器具１００の周辺の画像データに基づいて選択された所定の画像データを受信し、受信した所定の画像データを電子パネル２に表示させてもよい。これによっても、照明器具１００の周辺に居る人Ｈに役立つ情報を電子パネル２に表示させることができる。
【０１３３】
（１１）  照明器具１００は、照明器具１００の周辺で生じた音情報を取得する音情報取得部Ｓをさらに備えていてもよい。この場合、制御部３は、音情報取得部Ｓによって取得された音情報に応じて、電子パネル２に所定の画像データを表示させるように電子パネル２を制御してもよい。これによれば、照明器具１００の周辺で生じている音の状況に応じた所定の画像データを電子パネル２に表示させることができる。
【０１３４】
（１２）  照明器具１００は、照明器具１００の周辺で生じた音情報を取得する音情報取得部Ｓを備えていてもよい。制御部３は、音情報取得部Ｓが取得した音情報を送信し、音情報に基づいて選択された所定の画像データを受信し、受信した所定の画像データを電子パネル２に表示させてもよい。これによっても、照明器具１００の周辺で生じている音の状況に応じた所定の画像データを表示させることができる。
【０１３５】
（１３）  外部記憶部３０として、表示パネル２に表示される少なくとも１つの所定の画像データと光源１が発する少なくとも１つの光信号とを１対１の関係で関連付けて記憶したデータテーブルＤＴを有するデータベースＤＢが設けられていてもよい。制御部３は、少なくとも１つの所定の画像データのうちのいずれか１つの特定の画像データを表示パネル２に表示させているときに、少なくとも１つの光信号のうちから選択された特定の画像データに対応する特定の光信号を光源１に発信させてもよい。これによれば、光信号を受信した通信機器３０ｓに表示パネル２に表示されている所定の画像データに関連した画像データを表示させることができる。
【０１３６】
（１４）  外部記憶部３０として、複数種類のカテゴリのそれぞれごとに、表示パネル２に表示される所定の画像データと光源１が発する発光態様とを関連付けて記憶したデータテーブルＤＴを有するデータテーブルＤＢが設けられていてもよい。複数種類のカテゴリのうちのいずれか１つの特定のカテゴリが指定される場合がある。この場合に、制御部３は、特定のカテゴリに属する所定の画像データを表示パネル２に表示させているときに、特定のカテゴリに属する発光態様で光源１を発光させる。これによれば、外部の通信機器３ｓによってカテゴリを指定するだけで、表示パネル２の所定の画像データと光源１の発光態様とが関連付けられた演出を実行することができる。
【０１３７】
（１５）  照明システム１０００は、複数の照明器具１００を備えている。複数の制御部３は、互いに同期して複数の電子パネル２のそれぞれに同一の所定の画像データを表示させるように複数の電子パネル２を制御する。あるいは、複数の制御部３は、複数の電子パネル２に全体として１つの一体化された所定の画像データを表示させるように複数の電子パネル２を制御する。これによれば、複数の照明器具１００の周辺で所定の画像データを見た人に大きなインパクトを与えることができる。
【０１３８】
（１６）  照明システム１０００は、照明器具１００と、表示部２０２および表示部２０２を制御する表示制御部２０３を有する外部機器２００とを備えている。制御部３および表示制御部２０３は、それぞれ、互いに同期して電子パネル２および表示部２０２のそれぞれに同一の所定の画像データを表示させるように電子パネル２および表示部２０２を制御する。あるいは、制御部３および表示制御部２０３は、それぞれ、電子パネル２および表示部２０２に全体として１つの一体化された所定の画像データを表示させるように電子パネル２および表示部２０２を制御する。これによれば、照明器具１００および外部機器２００の周辺で所定の画像データを見た人に大きなインパクトを与えることができる。
【符号の説明】
【０１３９】
１  光源
２  電子パネル
３  制御部
３Ｍ  記憶部
３Ｓ  特定部
３Ｔ  タイマ
３Ｃ  推定部
３０  外部記憶部
３０ａ  サーバ
３０ｂ  記録媒体
３０ｓ  通信機器
１００  照明器具
２０２  表示部
２０３  表示制御部
１０００  照明システム
Ｃ  撮像部
Ｇ  導光部
Ｉ  電気通信情報網
Ｒ  反射部
Ｓ  音情報取得部
【図１】
0006803536.tif 000002
【図２】
0006803536.tif 000003
【図３】
0006803536.tif 000004
【図４】
0006803536.tif 000005
【図５】
0006803536.tif 000006
【図６】
0006803536.tif 000007
【図７】
0006803536.tif 000008
【図８】
0006803536.tif 000009
【図９】
0006803536.tif 000010
【図１０】
0006803536.tif 000011
【図１１】
0006803536.tif 000012
【図１２】
0006803536.tif 000013
【図１３】
0006803536.tif 000014
【図１４】
0006803536.tif 000015
【図１５】
0006803536.tif 000016
【図１６】
0006803536.tif 000017
【図１７】
0006803536.tif 000018
【図１８】
0006803536.tif 000019
【図１９】
0006803536.tif 000020
【図２０】
0006803536.tif 000021
【図２１】
0006803536.tif 000022
【図２２】
0006803536.tif 000023
【図２３】
0006803536.tif 000024
【図２４】
0006803536.tif 000025
【図２５】
0006803536.tif 000026